(57)【要約】本発明は、ネットワーク、特に、ＷｉＭＡＸネットワークを介して緊急サービスにアクセスする方法及びシステムに関する。本方法は、ユーザデバイス（５１）がＷｉＭＡＸネットワーク（５２、５３、５４）に信号を送信して、緊急サービスに対してアクセスを要求したときを識別するステップと、ユーザデバイスに最も近い緊急サービス通信デバイスのネットワークアドレスを検出するステップと、最も近い緊急サービス通信デバイスのネットワークアドレスを含む信号（ＥＳ−ＳＥＲＶ−ＲＳＰ）を、ＷｉＭＡＸネットワークを介してユーザデバイスに中継するステップと、ＷｉＭＡＸネットワークとユーザデバイスとの間で少なくとも１つのサービスフローを確立して、ユーザデバイスと緊急サービス通信デバイスとの間でデータを交換することを可能にするステップとを含む。
2009025252.tif 000002
【特許請求の範囲】
【請求項１】
ＷｉＭＡＸネットワークを介して、緊急サービスにアクセスする方法であって、
ユーザデバイスが前記ＷｉＭＡＸネットワークに信号を送信して、前記緊急サービスに対してアクセスを要求したときを識別するステップと、
前記ユーザデバイスに最も近い緊急サービス通信デバイスのネットワークアドレスを検出するステップと、
前記最も近い緊急サービス通信デバイスの前記ネットワークアドレスを含む管理メッセージを、前記ＷｉＭＡＸネットワークを介して前記ユーザデバイスに中継するステップと、
前記ＷｉＭＡＸネットワークと前記ユーザデバイスとの間で少なくとも１つのサービスフローを確立して、前記ユーザデバイスと前記緊急サービス通信デバイスとの間でデータを交換することを可能にするステップとを含む、方法。
【請求項２】
前記緊急サービス通信デバイスは、ゲートウェイを介して前記ＷｉＭＡＸネットワークにリンクされている第２のネットワーク上に位置する、請求項１に記載の方法。
【請求項３】
管理ＣＩＤによって識別される接続に、前記ユーザデバイスから前記ＷｉＭＡＸネットワークに前記信号を送信するステップを含む、請求項１又は２に記載の方法。
【請求項４】
前記管理ＣＩＤによって識別された接続に、前記ＷｉＭＡＸネットワークを介して前記ユーザデバイスに前記管理メッセージを送信するステップを含む、請求項３に記載の方法。
【請求項５】
前記ユーザデバイスには、管理接続上のネットワークアドレスが与えられる、請求項２〜４のいずれか一項に記載の方法。
【請求項６】
前記ユーザデバイスから前記ＷｉＭＡＸネットワークへの前記信号は、基本接続上に送信される、請求項３〜５のいずれか一項に記載の方法。
【請求項７】
前記ＷｉＭＡＸネットワークから前記ユーザデバイスへの前記管理メッセージは、２次接続に送信される、請求項４〜６のいずれか一項に記載の方法。
【請求項８】
前記ネットワークアドレスは２次管理接続に送信される、請求項５に記載の方法。
【請求項９】
前記ユーザデバイスによって前記ＷｉＭＡＸネットワークに送信される前記信号は、前記緊急サービス要求として識別するパラメータを含む管理メッセージであることを特徴とする請求項１〜８のいずれかに記載の方法。
【請求項１０】
前記ユーザデバイスによって前記ＷｉＭＡＸネットワークに送信される前記管理メッセージは要求された緊急サービスのタイプをあらわす少なくとも一つのパラメータを含んでいることを特徴とする請求項９記載の方法。
【請求項１１】
前記ユーザデバイスによって前記ＷｉＭＡＸネットワークに送信される前記管理メッセージは転送されるべき管理接続をあらわす少なくとも一つのパラメータを含んでいることを特徴とする請求項９記載の方法。
【請求項１２】
サービスフローパラメータは、サービスフローのコンテキストが前記緊急サービス通信デバイスと関連付けられるべきか否かを指示する、請求項１〜１１のいずれか一項に記載の方法。
【請求項１３】
前記ユーザデバイスが、前記サービスフローが必要でなくなったときを検出するステップと、
前記ユーザデバイスと前記緊急サービス通信デバイスとの間の前記接続を解放するステップと、
前記サービスフローのコンテキストを削除するステップとをさらに含む、請求項１２に記載の方法。
【請求項１４】
前記ＷｉＭＡＸネットワーク上のデバイスが、前記サービスフローが必要でなくなったときを検出するステップと、
前記ユーザデバイスと前記緊急サービス通信デバイスとの間の前記接続を解放するステップと、
前記サービスフローのコンテキストを削除するステップとをさらに含む、請求項１１に記載の方法。
【請求項１５】
前記通信デバイスは、前記緊急サービスにコンタクトする公共セーフティ応答ポイント（Ｐｕｂｌｉｃ  Ｓａｆｅｔｙ  Ａｎｓｗｅｒｉｎｇ  Ｐｏｉｎｔ：ＰＳＡＰ）である、請求項１〜１４のいずれか一項に記載の方法。
【請求項１６】
前記第２のネットワークはＩＰベースである、請求項２〜１５のいずれか一項に記載の方法。
【請求項１７】
前記ＷｉＭＡＸネットワーク及び前記第２のネットワークは、１つ又は複数のＩＰネットワークを介して接続される、請求項２〜１６のいずれか一項に記載の方法。
【請求項１８】
ユーザデバイスがＷｉＭＡＸネットワークにアクセスするのを許可されていない場合に、緊急サービス呼び出し用接続を、前記ＷｉＭＡＸネットワークを介して確立する方法であって、
前記ユーザデバイスが緊急サービス通信デバイスへのアクセスを要求するときを識別するステップと、
呼び出しのカテゴリが前記ネットワークによって許可されているかを調べるステップと、
前記ユーザデバイスによって要求された前記タイプにマッチした最も近い緊急サービス通信デバイスのネットワークアドレスを検出するステップと、
前記ユーザデバイスによって要求された前記タイプに応じて、前記最も近い緊急サービス通信デバイスの前記ネットワークアドレスを含む信号を、前記ＷｉＭＡＸネットワークを介して前記ユーザデバイスへ中継するステップと、
前記ＷｉＭＡＸネットワークと前記ユーザデバイスとの間で少なくとも１つのサービスフローを確立して、前記ＷｉＭＡＸネットワークを介して前記ユーザデバイスと前記緊急サービス通信デバイスとの間でデータを交換することを可能にするステップとを含む、方法。
【請求項１９】
ＷｉＭＡＸネットワークを介して、緊急サービスにアクセスするシステムであって、
ユーザデバイスと、
ゲートウェイを介して前記ＷｉＭＡＸネットワークに接続されると共に、複数の緊急サービス通信デバイスが配置されている第２のネットワークと、
サービスモジュールとを備え、
前記サービスモジュールは、前記ユーザデバイスに最も近い緊急サービス通信デバイスのネットワークアドレスを検出するために、配置された論理コンポーネントであり、前記ユーザデバイスには、前記ネットワークアドレスを含む管理メッセージによって前記ネットワークアドレスが与えられることを特徴とする、システム。
【請求項２０】
予め定められたネットワーク内に配置され、緊急サービスに対するアクセスを要求するユーザデバイスに最も近い位置の緊急サービス通信デバイスを検出する手段と、当該通信デバイスのネットワークアドレスを検出して、基地局に送信する手段とを有することを特徴とする緊急サービスモジュール。
【請求項２１】
前記基地局側から緊急サービスに必要なサービスフローを受信する手段を有することを特徴とする請求項２０記載の緊急サービスモジュール。
【請求項２２】
前記通信デバイスのネットワークアドレスはＩＰアドレスであることを特徴とする請求項２０又は２１記載の緊急サービスモジュール。
【請求項２３】
前記予め定められたネットワークがＷｉＭＡＸネットワークであり、前記ユーザデバイスが前記ＷｉＭＡＸネットワークで認証されていない場合にも、所定の接続識別子を用いて、前記基地局側との接続を確立できる手段を備えていることを特徴とする請求項２０〜２２のいずれかに記載された緊急サービスモジュール。
【請求項２４】
前記ユーザデバイスが前記ＷｉＭＡＸネットワークで認証されていない場合前記緊急サービスの提供後、前記基地局側との接続を開放する手段を備えていることを特徴とする請求項２２記載の緊急サービスモジュール。
【請求項２５】
ネットワーク上で使用される緊急サービスモジュールに使用されるプログラムであって、緊急サービスに対するアクセスを要求するユーザデバイスに最も近い位置の通信デバイスを検出するステップと、当該通信デバイスのネットワークアドレスを検出して、基地局に送信するステップとを有することを特徴とする緊急サービスモジュール用プログラム。
【発明の詳細な説明】
【技術分野】
【０００１】
本発明は、緊急サービスへの、ネットワーク、特にＷｉＭＡＸネットワークを介するアクセスを提供するシステム及び方法に関する。
【背景技術】
【０００２】
ＷｉＭＡＸ（マイクロ波アクセスの世界的相互運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））は、ＷｉＭＡＸフォーラムによって確立された長距離にわたって無線データを提供するための標準規格である。ＷｉＭＡＸは、ケーブル又はＤＳＬを介したブロードバンドインターネットアクセスに急速に取って代わるものになりつつある。
現在、ＷｉＭＡＸには、固定ＷｉＭＡＸと、モバイルＷｉＭＡＸとの２つの形態がある。固定ＷｉＭＡＸは、ＩＥＥＥ８０２．１６−２００４（即ち、８０２．１６ｄ）標準規格に基づいて開発され、見通し環境及び非見通し環境における固定的用途及びノマディックな用途に最適化されている。モバイルＷｉＭＡＸは、ＩＥＥＥ８０２．１６−２００５（即ち、８０２．１６ｅ）標準規格に基づいており、主に見通し外環境における携帯用途及びモバイル用途を対象としているが、モバイルＷｉＭＡＸシステムは、固定的アクセス及びノマディックなアクセスも提供できる。ＩＥＥＥ８０２．１６ｅ標準規格は、柔軟な電源管理（スリープモード及びアイドルモード）、チャネル帯域幅スケーラビリティ（ＳＯＦＤＭＡ）、部分的周波数再使用（ｆｒａｃｔｉｏｎａｌ  ｆｒｅｑｕｅｎｃｙ  ｒｅｕｓｅ）及びより良い非見通し性能／屋内透過のような、モバイルアプリケーションに必要な追加の特徴を組み込む。
ユーザ側におけるＷｉＭＡＸデバイスは、ＷｉＭＡＸ加入者局（Ｓｕｂｓｃｒｉｂｅｒ  Ｓｔａｔｉｏｎ：ＳＳ）、ＷｉＭＡＸ  ＣＰＥ（加入者宅内機器：Ｃｕｓｔｏｍｅｒ  Ｐｒｅｍｉｓｅｓ  Ｅｑｕｉｐｍｅｎｔ）又はＷｉＭＡＸ  ＭＳ（移動局：Ｍｏｂｉｌｅ  Ｓｔａｔｉｏｎ）として知られ、ＷｉＭＡＸネットワークを介してデータを送受信する。ＷｉＭＡＸデバイスは、例えば、ラップトップ内のＰＣＭＣＩＡカードであっても良いし、ユーザの宅内にある受信ボックスであってもよい。いずれも、データをユーザのパーソナルネットワークに中継する。
ＷｉＭＡＸネットワークは、アクセスサービスネットワーク（ＡＳＮ：Ａｃｃｅｓｓ  Ｓｅｒｖｉｃｅ  Ｎｅｔｗｏｒｋ）及び接続サービスネットワーク（ＣＳＮ：Ｃｏｎｎｅｃｔｉｖｉｔｙ  Ｓｅｒｖｉｃｅ  Ｎｅｔｗｏｒｋ）から成る。ＷｉＭＡＸ  ＡＳＮは、２つの論理コンポーネント、すなわち基地局（ＢＳ：Ｂａｓｅ  Ｓｔａｔｉｏｎ）及びＡＳＮゲートウェイの２つの論理コンポーネントの組み合わせである。一方、ＷｉＭＡＸ  ＣＳＮは、インターネットへの接続のようなＩＰ接続サービスをＷｉＭＡＸ加入者に提供するネットワーク機能のセットである。
ＷｉＭＡＸ標準規格は、接続指向ＭＡＣ（媒体アクセス制御：Ｍｅｄｉａ  Ａｃｃｅｓｓ  Ｃｏｎｔｒｏｌ）アーキテクチャを使用し、全てのダウンリンク及びアップリンクの接続は、サービスを提供している基地局によって制御される。データ伝送の前に、基地局及び加入者局は、２つのＭＡＣ層ピア間で接続を確立する。各接続は、接続識別子（ＣＩＤ：ｃｏｎｎｅｃｔｉｏｎ  ｉｄｅｎｔｉｆｉｅｒ）によって識別される。接続識別子ＣＩＤは、リンクを介して、ユーザデータ伝送を行う際に一時的にアドレスの機能を果たす。ＭＡＣ管理メッセージを送信又は受信するために、接続識別子ＣＩＤは、ユーザ又はＷｉＭＡＸネットワークによって使用される。
接続は、管理（ｍａｎａｇｅｍｅｎｔ）接続及びトランスポート（ｔｒａｎｓｐｏｒｔ）接続の２つの基本タイプに分けられる。管理接続は管理メッセージを運び、一方、トランスポート接続はユーザデータのような他のトラフィックを運ぶ。
ＷｉＭＡＸ標準規格では、３つの管理接続がある。当該管理接続のそれぞれは、各々接続識別子を有する。基地局と加入者局との間で制御メッセージを交換するために３つの管理接続が使用される。それらは、異なる管理レベルで必要とされる異なるサービス品質（ＱｏＳ）要件を特定する。短いタイムクリティカルなＭＡＣ及び無線リンク制御（ＲＬＣ）のメッセージを伝送するために、基本接続が使用される。１次（ｐｒｉｍａｒｙ）管理接続は、認証及び接続のセットアップに関連した長く且つ遅延耐性を有するメッセージを転送する。２次（ｓｅｃｏｎｄａｒｙ）管理接続は、動的ホスト構成プロトコル（ＤＨＣＰ：Ｄｙｎａｍｉｃ  Ｈｏｓｔ  Ｃｏｎｆｉｇｕｒａｔｉｏｎ  Ｐｒｏｔｏｃｏｌ）、簡易ファイル転送プロトコル（ＴＦＴＰ：Ｔｒｉｖｉａｌ  Ｆｉｌｅ  Ｔｒａｎｓｆｅｒ  Ｐｒｏｔｏｃｏｌ）及び簡易ネットワーク管理プロトコル（ＳＮＭＰ：Ｓｉｍｐｌｅ  Ｎｅｔｗｏｒｋ  Ｍａｎａｇｅｍｅｎｔ  Ｐｒｏｔｏｃｏｌ）のような標準規格に基づくメッセージを伝送するために使用される。
ＷｉＭＡＸ標準規格は、サービスフローとして知られている特徴も有する。サービスフローとは、特定のパラメータのセット及びデータ構造を有するデータの一方向フローである。各サービスフローは、そのうちの１つがサービスフロー識別子（ＳＦＩＤ：Ｓｅｒｖｉｃｅ  Ｆｌｏｗ  Ｉｄｅｎｔｉｆｉｅｒ）である複数のサービスフローパラメータによって識別される。
現在、ＷｉＭＡＸ技術では、ユーザが、加入者局を介してＷｉＭＡＸネットワーク上で、緊急サービスにコンタクトすることに対する備えが存在していない。ＩＰマルチメディアサービスをエンドユーザに配信するＩＭＳのようなフレームワークの開発によって、インターネットのようなネットワークを介してユーザが通信することを可能にするＶｏＩＰ（ボイスオーバーＩＰ）のような通信方法の開発が可能になった。
ネットワークを介して緊急サービスにコンタクトすることに対するサポートを提供することについての主な問題のうちの１つは、緊急サービスによって使用される通信デバイスである最も近い公共セーフティ応答ポイント（ＰＳＡＰ：Ｐｕｂｌｉｃ  Ｓａｆｅｔｙ  Ａｎｓｗｅｒｉｎｇ  Ｐｏｉｎｔ）の場所である。全ての緊急呼び出し（ｃａｌｌ）は、全ての緊急サービスの応答ポイントであるＰＳＡＰへ送られ、警察、消防等の適切な緊急サービスに対する緊急呼び出し配信を調整する。
緊急サービスにコンタクトする信頼性の高い手段が提供された場合、ユーザが、任意のＷｉＭＡＸネットワークに加入しているか否かを問わず、そのネットワークを介してコンタクトできることが必須である。そのような要件に伴う１つの問題は、ユーザが特定のＷｉＭＡＸネットワークに登録されていない場合、そのネットワークを使用することを認められていないので、そのネットワークを介して緊急サービスにコンタクトしようとする試みは認証できないと云う結果を招来するということである。これは、異なるネットワーク間を頻繁に移動し得る、８０２．１６ｅ標準規格を使用するモバイルデバイスを扱う場合にはさらにより重要である。
【発明の開示】
【発明が解決しようとする課題】
【０００３】
本発明者らは、既存のＷｉＭＡＸネットワークを使用して緊急サービスへアクセスできることが望ましいことを認識した。
本発明者らはさらに、緊急サービスへのアクセスのように非常に重要なものを扱うとき、ユーザが、特定のＷｉＭＡＸネットワークに加入していない場合であっても緊急サービスにアクセスすることができることが必要であることも認識した。緊急呼び出しをかけ終えると、接続を確実に終了することができることも１つの要件である。
【課題を解決するための手段】
【０００４】
本発明は、これから参照される特許請求の範囲内で規定される。
本明細書に記載される本発明の一実施の形態は、ＷｉＭＡＸ技術に基づいて緊急サービスへアクセスできるシステム及び方法を提供する。これは、ＷｉＭＡＸの既存のネットワークアーキテクチャを利用して、提案されるソリューション（解決方法）に対するサポートを与える。本発明はまた、ユーザがＷｉＭＡＸネットワークによって認証されない場合の緊急サービスアクセスに対するソリューションを提供する。
緊急サービス又は類似のサービスへのＷｉＭＡＸネットワークを介する接続を提供するために、幾つかの問題を克服する必要がある。まず、ＰＳＡＰのような最も近い緊急サービス通信デバイスのネットワークアドレス（例えば、ＩＰアドレス）が発見されて、それによって、緊急通信がそこに送られなければならない。当該サービスは、ＷｉＭＡＸネットワークにアクセスすることができる全ての者、すなわち加入者局を有する全ての者に利用可能であることが望ましいが、全ての者がＷｉＭＡＸネットワークに登録されるのではないことに留意することが重要である。また、ユーザがＷｉＭＡＸネットワークに登録されていない場合、緊急通信の後の接続をキャンセルすることが有利な特徴となるであろう。
本発明は、ＰＳＡＰのＩＰアドレスを発見すると共に、加入者局（ＳＳ）とＰＳＡＰとの間に緊急セッションを確立すると共に、その後に緊急サービスフローを変更又は削除する手段を提供する。これは、ＰＳＡＰとＷｉＭＡＸデバイスとの間の接続である。
ＷｉＭＡＸ  ＣＰＥ／ＳＳ／ＭＳは緊急呼び出しを検出すると、ＷｉＭＡＸネットワークにＰＳＡＰのＩＰアドレスを問い合わせる。ＷｉＭＡＸ  ＣＰＥ／ＳＳ／ＭＳは、最も近いＰＳＡＰアドレスを検出するために、緊急サービスタイプの要求として識別される要求をＷｉＭＡＸネットワークに、管理接続を介して送信する。ＷｉＭＡＸアクセスネットワークは、その要求をＷｉＭＡＸ  ＣＳＮ（接続サービスネットワーク）に送り、当該ＷｉＭＡＸ  ＣＳＮは最も近いＰＳＡＰのＩＰアドレスを発見する。ＷｉＭＡＸ  ＣＳＮは、ＰＳＡＰのＩＰアドレスから成る応答をＷｉＭＡＸ  ＡＳＮ（アクセスサービスネットワーク）を介してＷｉＭＡＸ  ＣＰＥ／ＳＳ／ＭＳに送信する。
認証失敗の場合、ユーザが緊急サービス通信をトリガすると、加入者局（ＳＳ）は、管理接続識別子（Ｍａｎａｇｅｍｅｎｔ  Ｃｏｎｎｅｃｔｉｏｎ  Ｉｄｅｎｔｉｆｉｅｒ）でＷｉＭＡＸネットワークに緊急セッションを開始するように要求する。ＷｉＭＡＸネットワークは接続識別子ＣＩＤをユーザに割り当て、ＩＰ接続と最も近くのＰＳＡＰのＩＰアドレスとを提供する。ＷｉＭＡＸユーザはまず、２次管理接続上でＷｉＭＡＸネットワークとのＩＰ接続を確立する。
その後、ＷｉＭＡＸ  ＣＰＥ／ＳＳ／ＭＳは、緊急セッション指示と共にサービスフローを生成し、ＰＳＡＰと情報を交換する。認証失敗の場合、緊急サービスフローを削除すると、ＷｉＭＡＸ  ＣＰＥ／ＳＳ／ＭＳはＩＰ接続を解放し、ＷｉＭＡＸ基地局は接続識別子ＣＩＤを解放する。ＷｉＭＡＸ  ＣＰＥ／ＳＳ／ＭＳとＷｉＭＡＸネットワークとの間で緊急セッションを確立又はキャンセルするために、サービスフローを生成／変更／削除することは、加入者に対して既に要求された認証事項である。これは、ＷｉＭＡＸ標準規格は、非認定アクセスを防止する方法を含むためである。セキュリティは、ＷｉＭＡＸ  ＭＡＣ内のプライバシーサブレイヤー（ｐｒｉｖａｃｙ  ｓｕｂｌａｙｅｒ）によって扱われる。ＷｉＭＡＸ端末デバイスは通常、公開鍵及びＭＡＣアドレスを割り当てられる。ＷｉＭＡＸオペレータは、ユーザネーム及びパスワード又はスマートカードを使用するのに加えて、デバイス認証のためにこれらを使用することができる。
緊急サービスセッションは、緊急サービスフローを生成する間に新しいサービスフローパラメータを使用する。サービスフローパラメータは、「緊急サービス」に設定される場合、緊急セッションとサービスフローとの関連を示す。本発明はまた、緊急通信が完了すると、認証失敗の場合に緊急サービスフローを削除すると共にＩＰ接続を解放することを可能にする。
【図面の簡単な説明】
【０００５】
図１は、本発明の一実施形態を実施するために要求されるネットワークコンポーネントを示す図である。
図２は、本発明に従って使用されるＭＡＣ管理メッセージのパラメータの一例を詳細に示す表である。
図３は、本発明の一実施形態において使用されるＥＳ要求メッセージ及びＥＳ応答メッセージのパラメータの一例を詳細に示す表である。
図４は、ユーザがネットワークにアクセスすることを許可される場合に、ＰＳＡＰのＩＰアドレスを発見するために取られるステップを詳細に示す図である。
図５は、ユーザがネットワークにアクセスすることを許可されない場合に、ＰＳＡＰのＩＰアドレスを発見するために取られるステップを詳細に示す図である。
図６は、ＷｉＭＡＸ  ＣＰＥ／ＳＳ／ＭＳが緊急サービスフローのコンテキストを生成することができる方法を示す図である。
図７は、サービスフローパラメータの詳細を提供する表である。
図８は、緊急サービスフローを削除するのに必要とされるステップを示す図である。
【発明を実施するための最良の形態】
【０００６】
ＷｉＭＡＸのようなネットワークを介して、緊急サービスへ信頼性のあるアクセスを提供するために、ユーザデバイスはまず、ＰＳＡＰのＩＰアドレスを発見することができなければならない。モバイルデバイスを使用する場合、ユーザは１つのネットワークから別のネットワークへとローミングしており、最も近いＰＳＡＰのＩＰアドレスはユーザの場所に応じて決まる。ＰＳＡＰは、ユーザデバイスと同じＷｉＭＡＸネットワーク上又は他の任意のＩＰベースのネットワーク内で位置を特定することができる。最も近いＰＳＡＰのＩＰアドレスを発見して、それによって、当該ＰＳＡＰに緊急呼び出しを送らなければならない。
本発明の一実施形態では、最も近いＰＳＡＰのＩＰアドレスの検出に関与する緊急サービスモジュールがＷｉＭＡＸ接続サービスネットワーク（ＣＳＮ）内に導入されている。さらに、新しいＭＡＣ管理メッセージが導入され、これによって、緊急サービスへの接続が提供される。ＭＡＣ管理メッセージは、ユーザが緊急サービスにコンタクトしようとするときに、ユーザによってＷｉＭＡＸネットワークに送信される。そのメッセージ又は当該メッセージに従属するメッセージを受信した後、緊急サービスモジュールが最も近いＰＳＡＰのＩＰアドレスを検出し、別のＭＡＣ管理メッセージでＷｉＭＡＸユーザに返信する。
ネットワークにアクセスするのをユーザが許可されない認証失敗の場合、ユーザは、そのネットワークによって提供されるいかなるサービスも使用することができない。この例では、ＷｉＭＡＸ標準規格に従って、基本（ｂａｓｉｃ）接続識別子（ＣＩＤ）及び１次（ｐｒｉｍａｒｙ）接続識別子（ＣＩＤ）のみがＷｉＭＡＸ  ＣＰＥ／ＳＳ／ＭＳに割り当てられる。２次（ｓｅｃｏｎｄａｒｙ）接続は割り当てられず、結果的にＩＰアドレスはＷｉＭＡＸ  ＣＰＥ／ＳＳ／ＭＳに割り当てられない。ＰＳＡＰのＩＰアドレスも、ユーザには知られていない。緊急呼び出しを送るため、即ち、ルーティングするために、ＰＳＡＰのＩＰアドレスを発見しなければならず、加入者局（ＳＳ）にも、ＩＰ接続が与えられなければならず、且つ、自身のＩＰアドレスを要求することも必要である。通常、未登録の加入者局にはＩＰアドレスが与えられていない。本発明の一実施形態では、これは、緊急セッションを引き起こすことによって実現される。
図１を参照すると、ＷｉＭＡＸ  ＣＰＥ／ＳＳ／ＭＳ１は緊急呼び出しを検出すると（１）、ＷｉＭＡＸネットワーク２にＰＳＡＰのＩＰアドレスを問い合わせる（２）。ＷｉＭＡＸ  ＣＰＥ／ＳＳ／ＭＳは、最も近いＰＳＡＰ（４）のアドレスを検出するために、緊急セッションタイプを認識する要求をＷｉＭＡＸ  ＡＮＳに送信する。ＷｉＭＡＸ  ＡＮＳはその要求をＷｉＭＡＸ  ＣＳＮ（３）に送り、ＷｉＭＡＸ  ＣＳＮは最も近いＰＳＡＰ（ＩＰベースのネットワークを通じてＷｉＭＡＸネットワークに接続されている）のＩＰアドレスを検出する。その後、ＷｉＭＡＸ  ＣＳＮは、ＰＳＡＰのＩＰアドレスから成る応答を、ＷｉＭＡＸ  ＡＮＳを介してＷｉＭＡＸ  ＣＰＥ／ＳＳ／ＭＳに送信する。ＷｉＭＡＸネットワークにおけるＲ１は、８０２．１６（ｄ又はｅ）標準規格ベースのインターフェースであり、一方、Ｒ６及びＲ３は両方ともＩＰベースのインターフェースである。
認証失敗の場合、基本管理ＣＩＤ及び１次管理ＣＩＤのみがＷｉＭＡＸ  ＣＰＥ／ＳＳ／ＭＳに割り当てられる。ここでは、ＩＰネットワークへの初期ＩＰ接続はない。その後、ＷｉＭＡＸ加入者は、基本ＣＩＤによって規定される接続を介して、緊急セッションについてＷｉＭＡＸネットワークに要求を送信する。ＷｉＭＡＸネットワークは、２次管理ＣＩＤを提供してＷｉＭＡＸ加入者へＩＰ接続を提供し、また、ＰＳＡＰのＩＰアドレスをＷｉＭＡＸ  ＣＰＥ／ＳＳ／ＭＳに送る。ＷｉＭＡＸ  ＣＰＥ／ＳＳ／ＭＳは、２次管理ＣＩＤによって識別される接続でＩＰ接続を確立し、ＣＳＮは、動的ホスト構成プロトコル（ＤＨＣＰ：Ｄｙｎａｍｉｃ  Ｈｏｓｔ  Ｃｏｎｆｉｇｕｒａｔｉｏｎ  Ｐｒｏｔｏｃｏｌ）を使用してユーザにＩＰアドレスを割り当てる。
基本ＣＩＤによって識別される基本接続を使用して、短く時間的に急を要するＭＡＣ管理メッセージが交換される。１次管理ＣＩＤによって識別される１次管理接続を使用して、より長くより遅延耐性の高いＭＡＣ管理メッセージが交換される。２次ＣＩＤによって識別される２次管理接続を使用して、標準規格に基づく（ＤＨＣＰ等）メッセージが転送される。緊急サービスでは、１次接続を使用できるけれども、呼び出し時間が非常に重要な要素であるため、基本ＣＩＤによって規定される接続を使用して緊急サービスＭＡＣ管理メッセージを転送することが好ましい。
ＷｉＭＡＸ  ＣＰＥ／ＳＳ／ＭＳは緊急サービスフローを生成して、ＰＳＡＰと情報を交換する。緊急セッションは、追加的に付加される「緊急サービス」サービスフローパラメータによって示されるのが好ましい。認証失敗の場合、緊急サービスフローを削除する際（すなわち、緊急サービスとの通信完了の際）、ＷｉＭＡＸ  ＣＰＥ／ＳＳ／ＭＳはＩＰ接続を解放し、ＷｉＭＡＸ基地局は、２次管理ＣＩＤによって識別される接続を解放する。
最も近いＰＳＡＰのＩＰアドレスの検出は、ＣＳＮ内に位置する緊急サービスモジュール（５）によって扱われる。緊急サービスモジュールはサービス品質プロトコルに類似した論理機能を持ち、加入者（又は場合によっては非加入者）から到来する緊急サービス要求を扱う。緊急サービスモジュールは、最も近いＰＳＡＰのＩＰアドレスの検出と、当該ＩＰアドレスの加入者への返信とに関与し、この動作のためのプログラムを含んでいる。
本発明の好ましい実施形態は、ＥＳ−ＳＥＲＶ−ＲＥＱ及びＥＳ−ＳＥＲＶ−ＲＳＰであらわされる２つの新しいＭＡＣ管理メッセージを必要とする。これらのメッセージは、ＷｉＭＡＸ  ＣＰＥ／ＳＳ／ＭＳとＷｉＭＡＸ  ＢＳとの間で交換され、このメッセージ交換は無線インターフェースにおける交換であっても良い。ＭＡＣ管理メッセージは基本的に制御メッセージである。ＭＡＣ管理メッセージを規定するために、当該メッセージを転送することができる接続（例えば、基本又は１次）と共にメッセージタイプが必要とされる。ＷｉＭＡＸで実施される場合のこれらのメッセージのパラメータの一例は、図２の表に示される。これらのＭＡＣ管理メッセージは、ＣＩＤ及び他のヘッダ情報から成るヘッダと、図２に示されるような他の情報（サービスタイプ、ＩＰバージョン等）とを含む。
無線インターフェースにおけるＥＳ−ＳＥＲＶ−ＲＥＱ／ＲＳＰに対応して、２つのさらなるメッセージ、ＥＳ要求及びＥＳ応答が、ＷｉＭＡＸネットワーク側及びＩＰネットワーク側の両方で使用される。これらのメッセージは、ＷｉＭＡＸネットワーク内、基地局（ＢＳ）とＡＳＮゲートウェイ（ＡＳＮ−ＧＷ）との間で交換され、ＷｉＭＡＸネットワークとＩＰベースのネットワークとの間、ＡＳＮゲートウェイと接続サービスネットワークとの間でも交換される。ＥＳ要求メッセージ及びＥＳ応答メッセージのパラメータの一例が図３に示される。ＥＳ要求メッセージ及びＥＳ応答メッセージは、ＷｉＭＡＸネットワーク側で規定される。ＷｉＭＡＸネットワーク側での制御メッセージは、機能タイプ及びメッセージタイプによって区別される。機能タイプは機能を説明し、例として「ハンドオーバ」又は「緊急」等が挙げられる。メッセージタイプは、メッセージがＥＳ要求タイプメッセージなのか、又はＥＳ応答タイプメッセージなのかを規定する。
図４を参照すると、緊急サービス要求がトリガされたことを検出した後の第１のステップは、ＰＳＡＰのＩＰアドレスを発見することである。ＷｉＭＡＸユーザがＷｉＭＡＸネットワークに登録されている（且つしたがって、ＩＰアドレスも有する）場合、ＷｉＭＡＸ  ＣＰＥ／ＳＳ／ＭＳ（４１）は、当該ユーザによって緊急サービスがトリガされたことを検出すると、そのユーザは、基本ＣＩＤによって識別される接続を介してメッセージＥＳ−ＳＥＲＶ−ＲＥＱを基地局（４２）に送信し、要求が緊急サービスタイプであることを示す。その後、基地局（４２）は、最も近いＰＳＡＰのＩＰアドレスを検出するために、基地局ＩＤを含むＥＳ要求メッセージを、ＡＳＮ−ＧＷ（４３）を介して接続サービスネットワーク（ＣＳＮ）（４４）に送信する。ＣＳＮ（４４）は、最も近いＰＳＡＰのＩＰアドレスを発見し、当該ＩＰアドレスをＥＳ応答メッセージ内でＡＳＮ−ＧＷ（４３）に返信する。その後、基地局（４２）は、ＰＳＡＰのＩＰアドレスを含むＥＳ−ＳＥＲＶ−ＲＳＰメッセージをＷｉＭＡＸ  ＣＰＥ／ＳＳ／ＭＳに送信する。
図５を参照すると、ＷｉＭＡＸユーザがＷｉＭＡＸネットワークに登録されていない場合、ＩＰアドレスは、ＷｉＭＡＸ  ＣＰＥ／ＳＳ／ＭＳ（５１）に初期的に割り当てられない。この状況では、基本ＣＩＤ及び１次ＣＩＤのみがＷｉＭＡＸ  ＣＰＥ／ＳＳ／ＭＳに割り当てられる。緊急サービス接続がユーザ側において検出されると、ＷＩＭＡＸ  ＣＰＥ／ＳＳ／ＭＳは、基本ＣＩＤによって識別される接続で、メッセージＥＳ−ＳＥＲＶ−ＲＥＱを基地局（５２）に送信する。ＥＳ−ＳＥＲＶ−ＲＥＱ管理メッセージは、サービスタイプと、２次管理ＣＩＤの要求に対する加入者局（ＳＳ）管理サポートとを含む。認定ユーザの場合のように、ＷｉＭＡＸ基地局は、最も近いＰＳＡＰのＩＰアドレスを検出するために、ＡＳＮ−ＧＷ（５３）を介してＣＳＮ（５４）にＥＳ要求メッセージを基地局ＩＤと共に送信する。ＣＳＮは、最も近いＰＳＡＰのＩＰアドレスを発見し、当該ＩＰアドレスをＥＳ応答メッセージ内でＡＳＮ−ＧＷに返信する。その後、基地局は、２次管理ＣＩＤを割り当て、当該２次管理ＣＩＤをＰＳＡＰのＩＰアドレスと共にＥＳ−ＳＥＲＶ−ＲＳＰメッセージ内でＷｉＭＡＸ  ＣＰＥ／ＳＳ／ＭＳに送信する。このようにして、ＷｉＭＡＸ  ＣＰＥ／ＳＳ／ＭＳは、２次管理ＣＩＤによって識別されるＩＰ接続を確立する。ＩＰ接続を確立することは、ＩＰアドレスがＷｉＭＡＸ  ＳＳデバイスに割り当てられていることを意味する。２次管理ＣＩＤを使用してＩＰ接続を確立するとき、ＩＰアドレスはＤＨＣＰ手順を使用して割り当てられる。
要求によって、ＰＳＡＰのＩＰアドレス及びＷｉＭＡＸ  ＣＰＥ／ＳＳ／ＭＳのＩＰアドレスが、一旦発見されると、ＷｉＭＡＸ  ＣＰＥ／ＳＳ／ＭＳは、ＰＳＡＰに達することができるような緊急サービスフローのコンテキストを生成しなければならない。図６は、いかにしてこれを達成することができるかを示す。第１のステップ、すなわちＤＳＡ−ＲＥＱでは、ＷｉＭＡＸ  ＣＰＥ／ＳＳ／ＭＳは、緊急呼び出しデータを転送するためにサービスフローのコンテキストを確立するように要求する。ＤＳＸ−ＲＶＤメッセージがＢＳによって送信され、ＢＳがＤＳＡ−ＲＥＱメッセージを受信したことがＷｉＭＡＸ  ＣＰＥ／ＳＳ／ＭＳに知らされる。そしてＢＳはＤＳＡ−ＲＳＰで応答する。ＳＳは、ＤＳＡ−ＡＣＫメッセージでトランザクションを完了する。サービスフローの生成、変更又は削除は、一連のＭＡＣ管理メッセージによって達成される。新しいサービスフローを生成するために動的サービス追加（ＤＳＡ：Ｄｙｎａｍｉｃ  Ｓｅｒｖｉｃｅ  Ａｄｄｉｔｉｏｎ）が使用され、既存のフローを変更するために動的サービス変更（ＤＳＣ：Ｄｙｎａｍｉｃ  Ｓｅｒｖｉｃｅ  Ｃｈａｎｇｅ）が使用され、既存のサービスフローを削除するために動的サービス削除（ＤＳＤ：Ｄｙｎａｍｉｃ  Ｓｅｒｖｉｃｅ  Ｄｅｌｅｔｉｏｎ）が使用される。
ＤＳＡ要求（ＤＳＡ−ＲＥＱ）は、基地局（ＢＳ）又は加入者局（ＳＳ）のいずれかによって開始することができる。加入者局（ＳＳ）から基地局（ＢＳ）へのＤＳＡ−ＲＥＱは、サービスフロー参照及びパラメータセットを含む。基地局はＤＳＡ−ＲＳＰで応答し、その要求を受け入れるか又は拒絶する。受け入れる場合、ＤＳＡ−ＲＳＰメッセージは、ユーザが認証されるか否かを問わずトランスポートＩＤを含む。トランスポートＩＤによって識別される接続が使用されてボイス又はデータのパケットが転送される。基地局からのＤＳＡ−ＲＥＱは、１つのアップリンクサービスフロー又は１つのダウンリンクサービスフローのいずれかについてサービスフローＩＤを含む。サービスパラメータセットは、関連したＣＩＤを含むことが望ましい。図６は、加入者局（ＳＳ）によるサービスフロー開始要求を示す。
サービスフローは一方向のデータのフローであるため、ユーザＳＳ及び基地局ＢＳの間、ひいてはユーザＳＳ及びＰＳＡＰの間でデータを交換できるように追加のサービスフローが生成されることが好ましい。追加のサービスフローは、上述したようにセットアップされる。
好ましい実施形態では、緊急サービスフローは新しいサービスフローパラメータをサービスフローパラメータリストに導入することによって提供される。サービスフローパラメータを与える好ましい方法は、予備のサービスフローパラメータタイプ１０を使用することによる方法である。この詳細が図７の表に示されている。サービスフローパラメータは、サービスフローのコンテキストが緊急サービスに関連付けられるか否かを示す。緊急サービスフローの生成及び変更の場合に認証を回避するために、サービスフローパラメータに認証機能がないことが好ましい。ＷｉＭＡＸネットワークでは、ハッシュメッセージ認証コード（ＨＭＡＣ：Ｈａｓｈ  Ｍｅｓｓａｇｅ  Ａｕｔｈｅｎｔｉｃａｔｉｏｎ  Ｃｏｄｅ）がメッセージ認証のために使用される。ＨＭＡＣの組は、送信者を認証するために、キー入力されるメッセージを含む。認証失敗の場合、加入者がネットワークによって認証されないため、ＨＭＡＣはメッセージから除かれる。
緊急サービスとの通信が終了すると、緊急サービスフローは削除しなければならない。ここでは２つの可能なシナリオがある：
１）ユーザがＷｉＭＡＸネットワークによって認証されない場合、ＩＰ接続及び２次管理ＣＩＤは、緊急サービスフローのコンテキストを削除する間に解放されなければならない。これは、緊急通信が終了したにもかかわらずユーザがネットワークにアクセスし続けることを防止する。加入者局（ＳＳ）又はネットワークのいずれかが、サービスフローを削除して緊急サービス呼び出しを終了することができる。図８によれば、ＷｉＭＡＸ  ＣＰＥ／ＳＳ／ＭＳは、緊急サービスフローがもはや不要であることを検出すると、まずＩＰ接続を解放し、その後緊急サービスフローのコンテキストを削除する。ＷｉＭＡＸネットワークが緊急サービスフローの削除を開始する場合、削除要求を受信した後に、ＷｉＭＡＸ  ＣＰＥ／ＳＳ／ＭＳはＩＰ接続を解放する。緊急サービスフローのコンテキストを削除した後に、基地局は２次管理ＣＩＤを解放する。
２）ＷｉＭＡＸネットワークに登録されている認定ユーザの場合、緊急サービスフローは、上記で詳述したのと同じ態様で削除されるが、ＨＭＡＣの組がメッセージ内になく、２次管理ＣＩＤを解放する必要がない。
記載される実施形態はＷｉＭＡＸネットワークに関連するが、本明細書に記載される本発明は任意の適切なネットワークに同等に適用することができることを、当業者は理解するであろう。
尚、この出願は、２００７年８月２０日に出願されたイギリス特許出願番号０７１６２４６．４を基礎とする優先権を主張し、その開示のすべてをここに取り込む。
【図１】
2009025252.tif 000003
【図２】
2009025252.tif 000004
【図３】
2009025252.tif 000005
【図４】
2009025252.tif 000006
【図５】
2009025252.tif 000007
【図６】
2009025252.tif 000008
【図７】
2009025252.tif 000009
【図８】
2009025252.tif 000010
【国際調査報告】
2009025252.tif 000011
2009025252.tif 000012
2009025252.tif 000013
2009025252.tif 000014